(57)【要約】  スプライス式コネクタであって、コネクタ本体と、前記コネクタ本体に対し挿抜接続される接続部材を含み、前記コネクタ本体は、筐体、前記筐体の内部に設けられて磁力を吸引する磁性部材、及び前記筐体に嵌設される導電部材を含み、前記筐体は、当接面、前記当接面と垂直な２つの端面、前記当接面に設けられて他のコネクタとの当接時の位置決めに用いられる位置決め部材、前記２つの端面に開設される第１挿入孔及び第２挿入孔を含み、前記接続部材は、前記第１挿入孔及び前記第２挿入孔を通って前記導電部材に電気的に接続される。【選択図】図１
2019515413.tif 000002
【特許請求の範囲】
【請求項１】
コネクタ本体と、前記コネクタ本体に対し挿抜接続される接続部材を含み、
前記コネクタ本体は、筐体、前記筐体の内部に設けられて磁力を吸引する磁性部材、及び前記筐体に嵌設される導電部材を含み、
前記筐体は、当接面、前記当接面と垂直な２つの端面、前記当接面に設けられて他のコネクタとの当接時の位置決めに用いられる位置決め部材、前記２つの端面に開設される第１挿入孔及び第２挿入孔を含み、
前記接続部材は、前記第１挿入孔及び前記第２挿入孔を通って前記導電部材に電気的に接続されることを特徴とするスプライス式コネクタ。
【請求項２】
前記位置決め部材は位置決め孔と位置決めスタッドを含み、前記位置決め孔と前記位置決めスタッドは同一寸法であることを特徴とする請求項１に記載のスプライス式コネクタ。
【請求項３】
前記磁性部材は、球体状又は柱状であることを特徴とする請求項１に記載のスプライス式コネクタ。
【請求項４】
前記磁性部材の先端において、前記当接面には接続孔が開設されており、前記接続孔は前記磁性部材の先端を露出可能とすることを特徴とする請求項１に記載のスプライス式コネクタ。
【請求項５】
前記導電部材は第１電極板群と第２電極板群を含み、前記第１電極板群と前記第２電極板群は電気的に接続されることを特徴とする請求項１に記載のスプライス式コネクタ。
【請求項６】
前記第１電極板群は、前記コネクタ本体の長さ方向に順に配列される第１負極板、第１ゲート板及び第１正極板を含み、前記第２電極板群は、前記コネクタ本体の長さ方向に順に配列される第２正極板、第２ゲート板及び第２負極板を含み、
前記第１正極板と前記第２正極板、前記第１負極板と前記第２負極板、前記第１ゲート板と前記第２ゲート板がそれぞれ２つずつ電気的に接続されることを特徴とする請求項５に記載のスプライス式コネクタ。
【請求項７】
前記接続部材は第１接続部材と第２接続部材を含み、前記第１接続部材は、前記第１挿入孔に挿入されて前記第１電極板群と接触し、電気的に接続され、
前記第２接続部材は、前記第２挿入孔に挿入されて前記第２電極板群と接触することを特徴とする請求項５に記載のスプライス式コネクタ。
【請求項８】
前記第１接続部材は、第１正極部、第１負極部及び第１制御部を含み、
前記第１正極部は前記第１正極板と接触して電気的に接続され、前記第１負極部は前記第１負極板と接触して電気的に接続され、前記第１制御部は前記第１ゲート板と接触して電気的に接続され、
前記第２接続部材は、第２正極部、第２負極部及び第２制御部を含み、
前記第２正極部は前記第２正極板と接触して電気的に接続され、前記第２負極部は前記第２負極板と接触して電気的に接続され、前記第２制御部は前記第２ゲート板と接触して電気的に接続されることを特徴とする請求項７に記載のスプライス式コネクタ。
【請求項９】
前記接続部材は、第１端子、第２端子及び接続部材本体を含み、
前記接続部材本体は任意の角度に固定的に屈曲しており、前記角度は正多角形の内角角度であることを特徴とする請求項１に記載のスプライス式コネクタ。
【請求項１０】
前記角度は、６０度、９０度又は１２０度であることを特徴とする請求項９に記載のスプライス式コネクタ。
【請求項１１】
前記接続部材本体は、硬質ゴム、硬質プラスチック又は金属材料からなることを特徴とする請求項９又は１０に記載のスプライス式コネクタ。
【請求項１２】
前記コネクタの外表面にはＬＥＤ光源が嵌設されており、前記コネクタに電流が流れると前記ＬＥＤ光源が発光することを特徴とする請求項１〜１０のいずれかに記載のスプライス式コネクタ。
【請求項１３】
前記接続部材は、第１端子、第２端子及び接続部材本体を含み、
前記接続部材は、任意の角度に折り曲げられるよう、自由に折り曲げ可能な可撓性材料から形成されることを特徴とする請求項１に記載のスプライス式コネクタ。
【発明の詳細な説明】
【技術分野】
【０００１】
本発明は電気コネクタに関し、具体的に、スプライス式電気コネクタに関する。
【背景技術】
【０００２】
現在では電子科学技術の急速な発展に伴って、２つ又は２つ以上の電子機器間で電気信号の伝達や転送を実現せねばならないことが多い。電気信号の伝達や転送は電気コネクタを介して実現される。電気コネクタとは電子機器間の接続ユニットであり、機器同士を接続することでこれらの間で電気信号の接続や伝送を実現する。しかし、従来の電気コネクタはいずれも挿抜式接続を用いており、このような接続方式では接続効率が低下してしまう。また、従来の挿抜式接続では１つの電子機器の電気信号を他の複数の機器と共有することはできず、応用が限定的となる。
【０００３】
更に、従来のコネクタは構造が単一的であり、ユーザに応じた設計のパーソナライズや変更は不可能である。また、従来のコネクタは作用が単一的であり、見た目にも劣る。
【発明の概要】
【発明が解決しようとする課題】
【０００４】
本発明の目的は、上記の課題を解決するためにスプライス式電気コネクタを提供することである。
【課題を解決するための手段】
【０００５】
本発明は、以下の技術方案によって上記の目的を実現する。
【０００６】
スプライス式コネクタであって、コネクタ本体と、前記コネクタ本体に対し挿抜接続される接続部材を含み、前記コネクタ本体は、筐体、前記筐体の内部に設けられて磁力を吸引する磁性部材、及び前記筐体に嵌設される導電部材を含み、前記筐体は、当接面、前記当接面と垂直な２つの端面、前記当接面に設けられて他のコネクタとの当接時の位置決めに用いられる位置決め部材、前記２つの端面に開設される第１挿入孔及び第２挿入孔を含み、前記接続部材は、前記第１挿入孔及び前記第２挿入孔を通って前記導電部材に電気的に接続される。
【０００７】
更に、前記位置決め部材は位置決め孔と位置決めスタッドを含み、前記位置決め孔と前記位置決めスタッドは同一寸法である。
【０００８】
更に、前記磁性部材は、球体状又は柱状である。
【０００９】
更に、前記磁性部材の先端において、前記当接面には接続孔が開設されており、前記接続孔は前記磁性部材の先端を露出可能とする。
【００１０】
更に、前記導電部材は第１電極板群と第２電極板群を含み、前記第１電極板群と前記第２電極板群は電気的に接続される。
【００１１】
更に、前記第１電極板群は、前記コネクタ本体の長さ方向に順に配列される第１負極板、第１ゲート板及び第１正極板を含み、前記第２電極板群は、前記コネクタ本体の長さ方向に順に配列される第２正極板、第２ゲート板及び第２負極板を含み、前記第１正極板と前記第２正極板、前記第１負極板と前記第２負極板、前記第１ゲート板と前記第２ゲート板がそれぞれ２つずつ電気的に接続される。
【００１２】
更に、前記接続部材は第１接続部材と第２接続部材を含み、前記第１接続部材は、前記第１挿入孔に挿入されて前記第１電極板群と接触し、電気的に接続され、前記第２接続部材は、前記第２挿入孔に挿入されて前記第２電極板群と接触する。
【００１３】
更に、前記第１接続部材は、第１正極部、第１負極部及び第１制御部を含み、前記第１正極部は前記第１正極板と接触して電気的に接続され、前記第１負極部は前記第１負極板と接触して電気的に接続され、前記第１制御部は前記第１ゲート板と接触して電気的に接続され、前記第２接続部材は、第２正極部、第２負極部及び第２制御部を含み、前記第２正極部は前記第２正極板と接触して電気的に接続され、前記第２負極部は前記第２負極板と接触して電気的に接続され、前記第２制御部は前記第２ゲート板と接触して電気的に接続される。
【００１４】
更に、前記接続部材は、第１端子、第２端子及び接続部材本体を含み、前記接続部材本体は任意の角度に固定的に屈曲しており、前記角度は正多角形の内角角度である。
【００１５】
更に、前記角度は、６０度、９０度又は１２０度である。
【００１６】
更に、前記接続部材本体は、硬質ゴム、硬質プラスチック又は金属材料からなる。
【００１７】
更に、前記コネクタの外表面にはＬＥＤ光源が嵌設されており、前記コネクタに電流が流れると前記ＬＥＤ光源が発光する。
【００１８】
更に、前記接続部材は、第１端子、第２端子及び接続部材本体を含み、前記接続部材は、任意の角度に折り曲げられるよう、自由に折り曲げ可能な可撓性材料から形成される。
【発明の効果】
【００１９】
本発明によれば、以下の有益な効果が得られる。即ち、本発明で提供するスプライス式コネクタは、コネクタ本体と、前記コネクタ本体に対し挿抜接続される接続部材を含む。２つの同一の前記コネクタ本体は、２つの前記磁性部材の吸引力及び前記位置決めスタッと前記位置決め孔との係合によって迅速な接続が可能である。
【００２０】
また、前記接続部材を様々な角度や長さに設定することで、複数の前記コネクタ本体と前記接続部材を異なる幾何学形状にスプライス接続し、コネクタとすることが可能なほか、アクセサリとして使用することも可能である。
【００２１】
なお、図面は本発明を更に理解するために提供する。図面は明細書の一部を構成しており、以下の具体的実施形態と合わせて本発明を説明するために用いるが、本発明を限定するとの主旨ではない。
【図面の簡単な説明】
【００２２】
【図１】図１は、本発明の実施例１で提供するスプライス式コネクタにおけるコネクタ本体の構造を示す図である。
【図２】図２は、図１のＡ−Ａ方向の断面図である。
【図３】図３は、図１に記載するスプライス式コネクタを２つスプライス接続した場合の断面構造を示す図である。
【図４】図４は、本発明の実施例２で提供するスプライス式コネクタの連結構造を示す図である。
【図５】図５は、本発明の実施例３で提供するスプライス式コネクタの連結構造を示す図である。
【図６】図６は、本発明の実施例４で提供するスプライス式コネクタの連結構造を示す図である。
【発明を実施するための形態】
【００２３】
以下に、本発明の実施例にかかる図面を組み合わせて本発明の実施例における技術方案につき明瞭簡潔に述べる。なお、言うまでもなく、記載する実施例は本発明の実施例の一部にすぎず、全てではない。また、本発明の実施例に基づいて、当業者が創造的労働を要することなく取得するその他あらゆる実施例が本発明の保護の範囲となる。
【００２４】
実施例１
【００２５】
図１、図２及び図３を参照する。本発明の実施例１で提供するスプライス式コネクタ１は、コネクタ本体１０と、前記コネクタ本体１０に対し挿抜接続される接続部材２０を含む。
【００２６】
前記コネクタ本体１０は、筐体１１、前記筐体１１の内部に設けられて磁力を吸引する磁性部材１２、及び前記筐体に嵌設される導電部材１３を含む。
【００２７】
前記筐体１１は、当接面１１１、前記当接面１１１と垂直な２つの端面１１２、前記当接面１１１に設けられて他のコネクタとの当接時の位置決めに用いられる位置決め部材１１３、前記２つの端面１１２に開設される第１挿入孔１１４及び第２挿入孔１１５を含む。前記接続部材２０は、前記第１挿入孔１１４及び前記第２挿入孔１１５を通って前記導電部材１３に電気的に接続される。
【００２８】
前記当接面１１１は、長方形、正方形、菱形等の幾何学的に対称な図形とすればよいが、本実施例では長方形とすることが好ましい。本実施例では、前記磁性部材１２の先端において、前記当接面１１１に接続孔１１０が開設されている。前記接続孔１１０は、前記磁性部材１２の先端を露出可能とする。また、前記磁性部材１２の直径は前記接続孔１１０の直径よりも大きくなっている。前記位置決め部材１１３は位置決め孔１１３１と位置決めスタッド１１３２を含む。また、前記位置決め孔１１３１と前記位置決めスタッド１１３２は同一寸法となっている。
【００２９】
２つの前記コネクタを当接させる際には、第１コネクタ１ａの第１位置決めスタッド１１３２ａが第２コネクタ１ｂの第２位置決め孔１１３１ｂに完全に嵌入可能であるとともに、前記第２コネクタ１ｂの第２位置決めスタッド１１３２ｂが前記第１コネクタ１ａの第１位置決め孔１１３１ａに嵌入可能である。これにより、前記第１コネクタ１ａの当接面１１１ａと前記第２コネクタの１ｂの当接面１１１ｂが完全に密着可能となる結果、２つの前記コネクタの導電部材１３同士が電気的に接続される。
【００３０】
前記磁性部材１２は球体状又は柱状であり、好ましくは球体状とする。前記導電部材１３は、第１電極板群１３１と第２電極板群１３２を含む。前記第１電極板群１３１と前記第２電極板群１３２の先端は前記当接面１１１から突出している。また、前記第１電極板群１３１と前記第２電極板群１３２の下端は、それぞれ前記第１挿入孔１１４と前記第２挿入孔１１５に伸入している。前記第１電極板群１３１は、前記コネクタ本体１０の長さ方向に順に配列される第１負極板１３１１、第１ゲート板１３１２及び第１正極板１３１３を含む。前記第２電極板群１３２は、前記コネクタ本体１０の長さ方向に順に配列される第２正極板１３２３、第２ゲート板１３２２及び第２負極板１３２１を含む。前記第２電極板群１３２と前記第１電極板群１３１は対称に設けられている。また、前記第１正極板１３１３と前記第２正極板１３２３、前記第１負極板１３１１と前記第２負極板１３２１、前記第１ゲート板１３１２と前記第２ゲート板１３２２がそれぞれ２つずつ電気的に接続される。
【００３１】
前記接続部材２０は、第１接続部材２１と第２接続部材２２を含む。前記第１接続部材２１は、第１正極部２１１、第１負極部２１２及び第１制御部２１３を含む。前記第１接続部材２１は、前記第１挿入孔１１４に挿入されて前記第１電極板群１３１と接触し、電気的に接続される。前記第１正極部２１１は、前記第１正極板１３１３と接触して電気的に接続され、前記第１負極部２１２は前記第１負極板１３１１と接触して電気的に接続され、前記第１制御部２１３は前記第１ゲート板１３１２と接触して電気的に接続される。同様に、前記第２接続部材２２は、第２正極部２２１、第２負極部２２２及び第２制御部２２３を含む。前記第２接続部材２２は、前記第２挿入孔１１５に挿入されて前記第２電極板群１３２と接触する。これにより、前記第２正極部２２１が前記第２正極板１３２３と接触して電気的に接続され、前記第２負極部２２２が前記第２負極板１３２１と接触して電気的に接続され、前記第２制御部２２３が前記第２ゲート板１３２２と接触して電気的に接続される。
【００３２】
本発明の一実施例において、前記コネクタ１にはＬＥＤ光源（図示しない）が嵌設されており、コネクタ１が通電されると前記ＬＥＤ光源が発光する。
【００３３】
実施例２
【００３４】
本発明の実施例２で提供するスプライス式コネクタの連結構造を示す図４を参照する。実施例２のコネクタは実施例１の前記コネクタ１とほぼ同様であるが、接続部材２０ａが、第１端子２０１ａ、第２端子２０２ａ及び接続部材本体２０３ａを含むとの点において主に異なっている。前記第１端子２０１ａと前記第２端子２０２ａは同様に設けられ、いずれも前記第１接続部材２１／前記第２接続部材２２と同様に設けられている。前記接続部材本体２０３ａは９０度に屈曲しており、４つの前記接続部材２０ａと４つの前記コネクタ本体１０を順に接続することで正方形が構成される。前記接続部材本体２０３ａは、硬質ゴム、硬質プラスチック又は金属材料からなる。
【００３５】
実施例３
【００３６】
本発明の実施例３で提供するスプライス式コネクタの連結構造を示す図５を参照する。
【００３７】
実施例３のコネクタは実施例２の前記コネクタとほぼ同様であるが、前記接続部材本体２０３ｂが６０度に屈曲している点で主に異なっている。３つの接続部材２０ｂと３つの前記コネクタ本体１０を順に接続することで、正三角形が構成される。
【００３８】
実施例４
【００３９】
本発明の実施例４で提供するスプライス式コネクタの連結構造を示す図６を参照する。
【００４０】
実施例４のコネクタは実施例２の前記コネクタとほぼ同様であるが、前記接続部材本体２０３ｃが１２０度に屈曲している点で主に異なっている。６つの接続部材２０ｃと３つの前記コネクタ本体１０を順に接続することで、正六角形が構成される。
【００４１】
本発明で提供するスプライス式コネクタは上記の実施例に限らない。本発明の他の実施例では、前記接続部材２０を各種電子機器に接続可能な接続ケーブルとする。或いは、本発明の別の実施例において、前記接続部材２０は任意の角度に折り曲げられるよう、自由に折り曲げ可能な可撓性材料から形成してもよい。
【００４２】
本発明によれば、以下の有益な効果が得られる。即ち、本発明で提供するスプライス式コネクタ１は、コネクタ本体１０と、前記コネクタ本体１０に対し挿抜接続される接続部材２０を含む。２つの同一の前記コネクタ本体１０は、２つの前記磁性部材１２の吸引力及び前記位置決めスタッド１１３２と前記位置決め孔１１３１との係合によって迅速な接続が可能である。
【００４３】
また、前記接続部材２０を様々な角度や長さに設定することで、複数の前記コネクタ本体１０と前記接続部材２０を異なる幾何学形状にスプライス接続し、コネクタとすることが可能なほか、アクセサリとして使用することも可能である。
【００４４】
当業者にとって明らかなように、本発明は上記の例示的実施例の内容に限定されず、本発明の精神又は基本的特徴を逸脱しないことを前提に、その他の具体的形式でも実現可能である。よって、あらゆる観点において、実施例は限定的なものではなく例示的なものとみなすべきである。本発明の範囲は上記の説明ではなく添付の特許請求の範囲により限定されるため、特許請求の範囲に含まれる等価の意味及び範囲のあらゆる変形が本発明に包括される。また、請求項内のあらゆる符号は、関連の請求項を限定するものとみなすべきではない。
【００４５】
また、本明細書は実施形態に基づいて記載したが、各実施形態が独立した技術方案を１つだけ含むとの意味ではない。明細書における上記のような記載形式は明瞭化を意図したものにすぎず、当業者は明細書を全体として捉えるべきである。また、各実施例の技術方案を適切に組み合わせることで、当業者が理解可能な他の実施形態を構成してもよい。
【符号の説明】
【００４６】
１        電気コネクタ
１０      コネクタ本体
２０      接続部材
１１      筐体
１２      磁性部材
１３      導電部材
１１１    当接面
１１２    端面
１１３    位置決め部材
１１４    第１挿入孔
１１５    第２挿入孔
１１０    接続孔
１１３１  位置決め孔
１１３２  位置決めスタッド
１３１    第１電極板群
１３２    第２電極板群
１３１１  第１負極板
１３１２  第１ゲート板
１３１３  第１正極板
１３２３  第２正極板
１３２２  第２ゲート板
１３２１  第２負極板
２１      第１接続部材
２２      第２接続部材
２１１    第１正極部
２１２    第１負極部
２１３    第１制御部
２２１    第２正極部
２２２    第２負極部
２２３    第２制御部
２０１    第１端子
２０２    第２端子
２０３    接続部材本体
【図１】
2019515413.tif 000003
【図２】
2019515413.tif 000004
【図３】
2019515413.tif 000005
【図４】
2019515413.tif 000006
【図５】
2019515413.tif 000007
【図６】
2019515413.tif 000008
【国際調査報告】
2019515413.tif 000009
2019515413.tif 000010
2019515413.tif 000011
2019515413.tif 000012